(57)【要約】  【課題】  原稿が原稿押えカバーで押さえられる際に，該原稿を原稿台に密着させておくことのできる画像読取装置を提供すること。  【解決手段】  Ａ４サイズでファイル管理するべく折れ部Ｓ１及びＳ２が形成されたＡ３サイズの原稿Ｓは，画像読取装置Ｘ１の原稿台１１に載置されたとき，その折れ部Ｓ１及びＳ２によって生じる起伏により原稿台１１から浮かされた状態となる。原稿押えカバー２の閉動作時に，該原稿押えカバー２の閉動作に応じて作動する空気送給手段によって，孔２２から原稿台１１に載置された原稿Ｓに向けて空気が吹き出される。これにより，原稿押えカバー２が原稿台１１にある程度近づいた後は，原稿Ｓが孔２２から吹き出される空気により原稿台１１側に十分に押し付けられる。【選択図】  図２
2007013660.tif 000002
【特許請求の範囲】
【請求項１】
原稿台に載置された原稿を押さえる開閉自在の原稿押え手段によって押さえられた上記原稿台上の原稿の画像を読み取る画像読取装置であって，
上記原稿押え手段の上記原稿台側の面に，空気が吹き出される一又は複数の吹出孔が形成されてなり，
上記原稿押え手段の少なくとも閉動作時に上記吹出孔へ空気を送給する空気送給手段を備えてなることを特徴とする画像読取装置。
【請求項２】
上記空気送給手段が，上記原稿押え手段の閉動作に応じて上記吹出孔へ空気を送給するものである請求項１に記載の画像読取装置。
【請求項３】
上記空気送給手段が，所定の電動機で駆動されることにより上記吹出孔へ空気を送給するものである請求項１又は２のいずれかに記載の画像読取装置。
【請求項４】
上記原稿台における原稿の載置基準を示す載置基準部に沿って載置された原稿の端部を固定する原稿固定手段を更に備えてなる請求項１〜３のいずれかに記載の画像読取装置。
【請求項５】
上記吹出孔が，上記原稿固定手段により固定された上記原稿の端部から該原稿の自由端に向かう方向に指向されてなる請求項４に記載の画像読取装置。
【発明の詳細な説明】
【技術分野】
【０００１】
本発明は，原稿台に載置されて原稿押えカバーによって押さえられた原稿の画像を読み取る画像読取装置に関し，特に，原稿押えカバーの閉動作時における原稿の位置ずれ等を防止する技術に関するものである。
【背景技術】
【０００２】
一般に，原稿台に載置された原稿の画像を読み取る画像読取装置には，上記原稿台に載置された原稿を押さえる原稿押えカバーが開閉自在に設けられている。この画像読取装置では，上記原稿押えカバーを閉じて原稿台に載置された原稿を押さえる際に，該原稿押えカバーが原稿に接触して該原稿の位置がずれることがある。例えば，原稿押えカバーを閉じる際，先に原稿押えカバーの一部が原稿に接触した状態で該原稿押えカバーの閉動作が継続されることにより原稿の位置がずれる。特許文献１では，この問題を解消するべく，上記原稿押えカバーの一部が原稿に接触した後，該原稿押えカバーの接触部を移動させない構成が提案されている。
【特許文献１】特開平１０−９７０１０号公報
【発明の開示】
【発明が解決しようとする課題】
【０００３】
一方，上記特許文献１の技術では解決し得ない事例として，折れ部を有する原稿を原稿押えカバーで押さえる際の該原稿の位置ずれがある。ここで，かかる事例について詳説する。ここに，図７は従来の画像読取装置Ｙの外観図，図８（ａ）は原稿Ｓが載置された原稿台１１１を上方から見た図，図８（ｂ）は図８（ａ）におけるＡ−Ａ矢視図である。
図７に示すように，従来の画像読取装置Ｙは，本体１０１に設けられたプラテンガラス等の原稿台１１１と，該本体１０１に開閉自在に設けられた原稿押えカバー１０２とを備えて構成されている。
図８（ａ）及び図８（ｂ）に示すように，Ａ４サイズでファイル管理するべく折れ部Ｓ１及びＳ２が形成されたＡ３サイズの原稿Ｓは，上記画像読取装置Ｙの原稿台１１１に載置されたとき，その折れ部Ｓ１及びＳ２によって生じる起伏により該原稿台１１１から浮かされた状態となる。このとき，上記原稿押えカバー１０２が閉じられると，上記原稿Ｓの折れ部Ｓ１やＳ２により浮かされた原稿Ｓが上記原稿押えカバー１０２で押さえられることによって，上記折れ部Ｓ１やＳ２が伸びて該原稿Ｓの位置がずれるという問題が生じる。
従って，本発明は上記事情に鑑みてなされたものであり，その目的とするところは，原稿が原稿押えカバーで押さえられる際に，該原稿を原稿台に密着させておくことのできる画像読取装置を提供することにある。
【課題を解決するための手段】
【０００４】
上記目的を達成するために本発明は，原稿台に載置された原稿を押さえる開閉自在の原稿押え手段によって押さえられた上記原稿台上の原稿の画像を読み取る画像読取装置に適用されるものであって，上記原稿押え手段の少なくとも閉動作時に，上記原稿押え手段の上記原稿台側の面に形成された一又は複数の吹出孔へ空気を送給することにより該吹出孔から空気が吹き出されるよう構成される。
これにより，上記原稿台に載置された原稿が折れ部を有する場合であっても，上記原稿押え手段で上記原稿を押さえる際に，上記原稿を上記吹出孔から吹き出される空気で上記原稿台側に押さえつけて密着させておくことができる。その結果，上記原稿押え手段が上記原稿に接触する際の該原稿の位置ずれを防止することができる。
ここで，上記吹出孔に空気を送給する手段は，上記原稿押え手段の閉動作に応じて圧縮されて空気を吐出するポンプや，上記原稿押え手段の閉動作に応じて回転する回転ファンなどを用いることにより簡易に実現可能である。
また，上記ポンプや上記回転ファンなどを所定の電動機で駆動させることにより上記吹出孔に空気を送給させる構成も考えられる。例えば，上記原稿押え手段の開閉動作各々の開始や上記原稿押え手段の開閉状態を検出する光学センサ等を配設し，該検出結果に応じて上記所定の電動機を駆動させればよい。
【０００５】
ところで，ユーザは，上記原稿台に載置された原稿を上記原稿押え手段で押さえる際，上記吹出孔から吹き出される空気が上記原稿に届かない間は，該原稿を押さえながら上記原稿押え手段の閉動作を行う必要がある。そこで，上記原稿台における原稿の載置基準を示す載置基準部に沿って載置された原稿の端部を固定する原稿固定手段を設けることが望ましい。これにより，上記原稿を上記原稿固定手段で上記原稿台に固定することが可能となるため，ユーザによる上記原稿を押さえるという煩雑な操作が不要となる。
このとき，上記吹出孔を，上記原稿固定手段により固定された上記原稿の端部から該原稿の自由端に向かう方向に指向させておくことが望ましい。これにより，上記吹出孔からは，上記原稿固定手段により固定された上記原稿の端部から該原稿の自由端に向かう方向に空気が吹き出されるため，上記原稿に吹き出される空気による該原稿の位置ずれを防止しつつ，上記原稿の折れ部を伸ばして該原稿を上記原稿台に密着させることができる。
【発明の効果】
【０００６】
本発明によれば，上記原稿台に載置された原稿が折れ部を有する場合であっても，上記原稿押え手段で上記原稿を押さえる際に，上記原稿を上記吹出孔から吹き出される空気で上記原稿台側に押さえつけて密着させておくことができる。その結果，上記原稿押え手段が上記原稿に接触する際の該原稿の位置ずれを防止することができる。
また，上記原稿台における原稿の載置基準を示す載置基準部に沿って載置された原稿の端部を固定する原稿固定手段を設けることにより，上記原稿を上記原稿固定手段で上記原稿台に固定することが可能となるため，ユーザによる上記原稿を押さえるという煩雑な操作が不要となる。
【発明を実施するための最良の形態】
【０００７】
以下添付図面を参照しながら，本発明の実施形態及び実施例について説明し，本発明の理解に供する。尚，以下の実施形態及び実施例は，本発明を具体化した一例であって，本発明の技術的範囲を限定する性格のものではない。
（第１の実施形態）
まず，図１及び図２を用いて，本発明の第１の実施形態に係る画像読取装置Ｘ１について説明する。ここに，図１は本発明の第１の実施形態に係る画像読取装置Ｘ１の外観図，図２（ａ）は上記画像読取装置Ｘ１の原稿台１１に原稿Ｓが載置された状態を上方から見た図，図２（ｂ）は図２（ａ）におけるＢ−Ｂ矢視図，図２（ｃ）は原稿押えカバー２の閉動作時の原稿押え作用を説明するための図，図２（ｄ）は原稿押えカバー２の開動作時の原稿吸着作用を説明するための図である。
図１に示すように，上記画像読取装置Ｘ１は，不図示のＣＣＤや制御回路などを有する本体１と，原稿が載置されるプラテンガラス等の原稿台１１と，上記本体１に開閉自在に設けられた原稿押えカバー２（原稿押え手段の一例）と，上記原稿押えカバー２の開閉動作に応じて作動するポンプ１２と，を備えて概略構成されている。なお，上記画像読取装置Ｘ１は，スキャナ装置に代表されるものであり，複写機にも用いられる。
上記原稿押えカバー２には，上記原稿台１１側の面に複数の孔２２（吹出孔の一例）が形成されている。上記孔２２は，空気を導き通す経路として設けられたチューブ２３によって上記ポンプ１２に連結されている。なお，上記孔２２の形状は，図示する円状のものに限られず，矩形状や長尺状であってもよい。また，上記原稿押えカバー２は，従来周知の自動原稿搬送装置（ＡＤＦ）を兼ねたものであってもかまわない。
上記ポンプ１２は，上記原稿押えカバー２の閉動作に応じて上記チューブ２３を介して上記孔２２に空気を送給し，上記原稿押えカバー２の開動作に応じて上記孔２２から上記チューブ２３を介して空気を吸い込むものであって，空気送給手段の一例に相当する。上記ポンプ１２は，上記原稿押えカバー２の開閉動作時における該原稿押えカバー２の動力が図外のギアやリンクバーなどの伝達機構によって伝達されることにより圧縮或いは伸張され，空気を吐出或いは吸気する。
【０００８】
図２（ａ）及び図２（ｂ）に示すように，Ａ４サイズでファイル管理するべく折れ部Ｓ１及びＳ２が形成されたＡ３サイズの原稿Ｓは，上記画像読取装置Ｘ１の原稿台１１に載置されたとき，その折れ部Ｓ１及びＳ２によって生じる起伏により該原稿台１１から浮かされた状態となる。そのため，従来では，上記原稿Ｓの折れ部Ｓ１やＳ２により浮かされた原稿Ｓが上記原稿押えカバー２で押さえられることによって，上記折れ部Ｓ１やＳ２が伸びて該原稿Ｓの位置がずれるという問題があった。
しかし，上記画像読取装置Ｘ１では，図２（ｃ）に示すように，上記原稿押えカバー２の閉動作時に，該原稿押えカバー２の閉動作に応じて上記ポンプ１２が作動することによって，上記孔２２から上記原稿台１１に載置された原稿Ｓに向けて空気が吹き出される。
これにより，ユーザが上記原稿Ｓを押さえながら上記原稿押えカバー２を上記原稿台１１にある程度近づけた後は，該原稿Ｓが上記孔２２から吹き出される空気により上記原稿台１１側に十分に押し付けられる。これにより，それ以降は，上記孔２２から吹き出される空気によって上記原稿Ｓを上記原稿台１１側に押さえつけて密着させておくことができる。即ち，上記原稿押えカバー２が上記原稿Ｓに接触する際，上記原稿Ｓの折れ部Ｓ１やＳ２には起伏が生じていないため，該接触時の該原稿Ｓの位置ずれを防止することができる。
【０００９】
一方，上記原稿Ｓの画像の読み取り動作が終了して，上記原稿Ｓを取り除くために上記原稿押えカバー２を開放するときには，図２（ｄ）に示すように，上記原稿押えカバー２の開動作に応じて上記ポンプ１２が作動することにより上記孔２２から空気が吸い込まれる。これにより，上記原稿押えカバー２の開動作時に，上記原稿台１１に載置された原稿Ｓが，空気と共に上記孔２２に吸い込まれて上記原稿押えカバー２に吸着される。
従来装置では，上記原稿押えカバー２が開放されても，上記原稿Ｓは上記原稿台１１に載置されたままであったため，上記原稿Ｓを取り除く際に，ユーザの手が上記原稿台１１に触れてしまい，該原稿台１１が汚れるという問題があったが，上述の如く本画像読取装置Ｘ１では原稿Ｓが原稿押えカバー２に吸い付いて該原稿押えカバー２と共に上記原稿台１１から離れることとなる。したがって，ユーザは，上記原稿押えカバー２に吸着された原稿Ｓを取り出せばよいため，ユーザの手が原稿台１１に触れることによる該原稿台１１の汚れは防止される。
【００１０】
（第２の実施形態）
次に，図３及び図４を用いて，本発明の第２の実施形態に係る画像読取装置Ｘ２について説明する。ここに，図３は本発明の第２の実施形態に係る画像読取装置Ｘ２の外観図，図４（ａ）は上記画像読取装置Ｘ２の原稿台１１に原稿Ｓが載置された状態を上方から見た図，図４（ｂ）は図４（ａ）におけるＣ−Ｃ矢視図，図４（ｃ）は原稿押えカバー２の閉動作時の原稿押え作用を説明するための図，図４（ｄ）は原稿押えカバー２の開動作時の原稿吸着作用を説明するための図である。なお，上記実施形態１で説明した上記画像読取装置Ｘ１（図１参照）と共通する構成要素については，同様の符号を付してその説明を省略する。
図３に示すように，本発明の第２の実施形態に係る画像読取装置Ｘ２は，上記孔２２に空気を送給する或いは上記孔２２から空気を吸い込む上記ポンプ１２に代えて，同様に機能するファン２３を備える点で，上記画像読取装置Ｘ１と構成を異にする。
上記ファン２３は，上記原稿押えカバー２の閉動作に応じて上記孔２２に向けて空気を送風し，上記原稿押えカバー２の開動作に応じて上記孔２２から空気を吸い込むものであって，空気送給手段の一例に相当する。上記ファン２３は，上記原稿押えカバー２の開閉動作時における該原稿押えカバー２の動力が図外の伝達機構から伝達されることにより正回転或いは逆回転され，上記孔２２に送風或いは上記孔２２から吸気する。
【００１１】
上述のように構成された上記画像読取装置Ｘ２では，図４（ｃ）に示すように，上記原稿押えカバー２の閉動作時に，該原稿押えカバー２の閉動作に応じて上記ファン２３が正回転されることにより該ファン２３から上記孔２２に送給された空気が，上記原稿台１１に載置された原稿Ｓに向けて吹き出される。これにより，ユーザが上記原稿Ｓを押さえながら上記原稿押えカバー２を上記原稿台１１にある程度近づけた後は，該原稿Ｓが上記孔２２から吹き出される空気により上記原稿台１１側に十分に押し付けられる。これにより，それ以降は，上記孔２２から吹き出される空気によって上記原稿Ｓを上記原稿台１１側に押さえつけて密着させておくことができる。即ち，上記原稿押えカバー２が上記原稿Ｓに接触する際，上記原稿Ｓの折れ部Ｓ１やＳ２には起伏が生じていないため，該接触時の該原稿Ｓの位置ずれを防止することができる。
一方，上記原稿Ｓの画像の読み取り動作が終了して，上記原稿Ｓを取り除くために上記原稿押えカバー２を開放するときには，図４（ｄ）に示すように，上記原稿押えカバー２の開動作に応じて上記ファン２３が作動することにより上記孔２２から空気が吸い込まれる。これにより，上記原稿押えカバー２の開動作時に，上記原稿台１１に載置された原稿Ｓが，空気と共に上記孔２２に吸い込まれて上記原稿押えカバー２に吸着される。
したがって，ユーザは，上記原稿押えカバー２に吸着された原稿Ｓを取り出せばよいため，ユーザの手が原稿台１１に触れることによる該原稿台１１の汚れは防止される。
【００１２】
なお，上述の第１の実施形態及び第２の実施形態では，上記原稿押えカバー２の開閉動作に応じて，上記ポンプ１２や上記ファン２３によって上記孔２２からの空気の吹き出し及び上記２２からの吸気が行われる構成について説明したが，上記ポンプ１２や上記ファン２３が，上記原稿押えカバー２の閉動作時に上記孔２２に空気を送給する機能だけを有するものであっても，本発明の目的は達成される。
【００１３】
また，上述の第１の実施形態及び第２の実施形態では，上記原稿押えカバー２の開閉動作の動力が伝達機構（不図示）によって伝達されることにより上記ポンプ１２及び上記ファン２３が作動する構成について説明した。しかし，他の実施例として，上記ポンプ１２や上記回転ファン２３を，必要に応じてモータ等の電動機で駆動させること，即ち，上記原稿押えカバー２の閉動作時に上記ポンプ１２を圧縮或いは上記ファン２３を正回転させ，上記原稿押えカバー２の開動作時に上記ポンプ１２を伸張或いは上記ファン２３を逆回転させる構成も考えられる。例えば，上記原稿押えカバー２の開閉動作各々の開始や上記原稿押えカバー２の開閉状態を検出する光学センサ等を配設し，該検出結果に応じて上記電動機を駆動させればよい。また，上記電動機の駆動の有無や正逆回転を手動スイッチなどにより手動で切り換える構成も他の実施例として考えられる。
【実施例】
【００１４】
ここで，図５及び図６を用いて，ユーザが上記原稿押えカバー２で上記原稿Ｓを押さえる際，上記原稿Ｓを押さえながら上記原稿押えカバー２の閉動作を行う必要のない構成例について説明する。ここに，図５は本発明の実施例に係る画像読取装置Ｘ３の外観図，図６（ａ）は上記画像読取装置Ｘ３の原稿台１１に原稿Ｓが載置された状態を上方から見た図，図６（ｂ）は上記画像読取装置Ｘ３において孔２５から吹き出される空気の方向を図６（ａ）のＤ−Ｄ矢示方向から見た図，図６（ｃ）は上記画像読取装置Ｘ３において孔２５から吹き出される空気の方向を図６（ａ）のＥ−Ｅ矢示方向から見た図，図６（ｄ）は上記画像読取装置Ｘ３において孔２５から吹き出される空気の方向を上方から見た図である。なお，上記実施形態１で説明した上記画像読取装置Ｘ１（図１参照）と共通する構成要素については，同様の符号を付してその説明を省略する。
図５に示すように，上記画像読取装置Ｘ３は，上記画像読取装置Ｘ１の構成に加えて，上記原稿台１１における原稿Ｓの載置基準を示す載置基準部１１ａ，１１ｂに沿って載置された原稿の端部を固定する原稿固定具１３（原稿固定手段の一例）を備えている。上記原稿固定具１３は，上記載置基準部１１ａと１１ｂとが交差する原稿台１１の角部に設けられて上記原稿Ｓの端部の一部を上記原稿台１１側に押さえることにより原稿Ｓを固定する透明なシートや上記原稿Ｓを挟持するクリップ等の簡易なものであってかまわない。なお，上記画像読取装置Ｘ２に上記原稿固定具１３を追加する構成も他の実施例として考えられる。
上記画像読取装置Ｘ３では，上記原稿固定具１３が設けられているため，ユーザは，上記原稿Ｓを上記原稿台１１に載置する際に該原稿Ｓを上記原稿固定具１３によって固定することにより，該原稿Ｓを押さえながら上記原稿押えカバー２の閉動作を行う必要がなくなる。
【００１５】
また，上記画像読取装置Ｘ３の原稿押えカバー２には，上記画像読取装置Ｘ１における上記孔２２に代えて，孔２５が形成されている（図６（ｂ）及び図６（ｃ）参照）。上記孔２５は，上記原稿押えカバー２の閉動作時，上記ポンプ１２から送給される空気が，上記原稿固定具１３により固定された上記原稿Ｓの端部から該原稿Ｓの自由端に向かう方向に向けて吹き出されるように，上記原稿固定具１３により固定された上記原稿Ｓの端部から該原稿Ｓの自由端に向かう方向に指向されている。ここに，上記孔２５から吹き出される空気の方向を図６（ｂ）〜（ｄ）に矢示している。
これにより，上記画像読取装置Ｘ３では，上記孔２５から上記原稿Ｓに吹き出される空気により，上記原稿Ｓの折れ部Ｓ１やＳ２を所定方向に伸ばしながら該原稿Ｓを上記原稿台１１に密着させることができる。
【図面の簡単な説明】
【００１６】
【図１】本発明の第１の実施形態に係る画像読取装置Ｘ１の外観図。
【図２】本発明の第１の実施形態に係る画像読取装置Ｘ１における原稿Ｓの状態を説明するための図。
【図３】本発明の第２の実施形態に係る画像読取装置Ｘ２の外観図。
【図４】本発明の第２の実施形態に係る画像読取装置Ｘ２における原稿Ｓの状態を説明するための図。
【図５】本発明の実施例に係る画像読取装置Ｘ３の外観図。
【図６】本発明の実施例に係る画像読取装置Ｘ３における原稿Ｓの状態を説明するための図。
【図７】従来の画像読取装置Ｙの外観図。
【図８】従来の画像読取装置Ｙにおける原稿Ｓの状態を説明するための図。
【符号の説明】
【００１７】
１…本体
２…原稿押えカバー（原稿押え手段の一例）
１１…原稿台
１２…ポンプ（空気送給手段の一例）
１３…原稿固定具（原稿固定手段の一例）
２２，２５…孔（吹出孔の一例）
２３…チューブ
２４…ファン（空気送給手段の一例）
Ｓ…原稿
Ｓ１，Ｓ２…折れ部
【図１】
2007013660.tif 000003
【図２】
2007013660.tif 000004
【図３】
2007013660.tif 000005
【図４】
2007013660.tif 000006
【図５】
2007013660.tif 000007
【図６】
2007013660.tif 000008
【図７】
2007013660.tif 000009
【図８】
2007013660.tif 000010